(57)【要約】【課題】キャリッジへのアクセスを容易にする共に、付属品等の管理を容易にすることができるインクジェットプリンタを提供する。【解決手段】プリンタ１０は、記録媒体１２が載置されるプラテン１５を備えたベース部材４０と、ベース部材４０に設けられ、主走査方向Ｙに移動可能なキャリッジ２２と、キャリッジ２２に搭載され、記録媒体１２にインクを吐出するノズルを備えたインクヘッド２４と、ベース部材４０に取り付けられ、キャリッジ２２より上方に配置された右上壁５１Ｒを備えた本体ケース５０と、を備え、右上壁５１Ｒには、平面視で、キャリッジ２２の移動軌跡Ｈと重なる貫通孔５８が形成され、貫通孔５８には、上方に向けて開口する収納容器９０が着脱自在に設けられている。【選択図】図１
2019025781.tif 000002
【特許請求の範囲】
【請求項１】
記録媒体が載置されるプラテンを備えたベース部材と、
前記ベース部材に設けられ、主走査方向に移動可能なキャリッジと、
前記キャリッジに搭載され、前記記録媒体にインクを吐出するノズルを備えたインクヘッドと、
前記ベース部材に取り付けられ、少なくとも前記キャリッジより上方に配置された上壁を備えた本体ケースと、を備え、
前記上壁には、平面視で、前記キャリッジの移動軌跡と重なる貫通孔が形成され、
前記貫通孔には、底壁および前記底壁の周縁から上方に延びる側壁を有し、上方に向けて開口する収納容器が着脱自在に設けられている、インクジェットプリンタ。
【請求項２】
前記上壁は、前記記録媒体の搬送方向の上流側から下流側に向けて斜め上方に傾斜している、請求項１に記載のインクジェットプリンタ。
【請求項３】
前記底壁は、水平方向に延び、
前記側壁は、前記底壁のうち前記上流側の端部から上方に延びる第１壁と、前記第１壁と対向する位置に配置され、前記底壁のうち前記下流側の端部から上方に延びる第２壁と、前記第１壁と直交する位置に配置され、前記底壁のうち前記主走査方向の一方側の端部から上方に延びる第３壁と、前記第３壁と対向する位置に配置され、前記底壁のうち前記主走査方向の他方側の端部から上方に延びる第４壁と、を備え、
前記収納容器は、前記第１壁の上端、前記第２壁の上端、前記第３壁の上端および前記第４壁の上端から外方に向けて延び、前記上壁と同じ傾斜角を有する第５壁を備えている、請求項１または２に記載のインクジェットプリンタ。
【請求項４】
前記収納容器は、弾性を有する樹脂材料から形成され、前記収納容器を前記貫通孔に取り付けるときに前記貫通孔の周囲の前記上壁とスナップフィットにより係合可能な係合爪を備え、
前記係合爪は、前記第５壁に形成されている、請求項３に記載のインクジェットプリンタ。
【請求項５】
前記貫通孔は、平面視で、前記プラテンと重なる、請求項１から４のいずれか一項に記載のインクジェットプリンタ。
【請求項６】
前記ベース部材の前記主走査方向の一方側の上方かつ前記上壁の下方に配置され、前記インクヘッドに供給されるインクを貯留するインクカートリッジを収容するカートリッジホルダーを備え、
前記収納容器は、前記ベース部材の前記主走査方向の他方側の上方に配置され、
前記収納容器の一部は、側面視で、前記カートリッジホルダーと重なる、請求項１から５のいずれか一項に記載のインクジェットプリンタ。
【請求項７】
前記貫通孔は、前記上壁のうち前記記録媒体の搬送方向の上流側の第１端部と前記上壁のうち前記搬送方向の下流側の第２端部との中間位置よりも前記下流側に形成されている、請求項１から６のいずれか一項に記載のインクジェットプリンタ。
【請求項８】
前記本体ケースは、前記プラテンよりも前記主走査方向の一方側に設けられた開閉可能な第１カバーと、前記プラテンよりも前記主走査方向の他方側に設けられた開閉可能な第２カバーと、前記第２カバーよりも前記記録媒体の搬送方向の上流側に設けられた操作パネルとを備え、
前記貫通孔は、前記プラテンのうち前記主走査方向の一方側の端部と前記プラテンのうち前記主走査方向の他方側の端部との中間位置よりも、前記操作パネル側に配置されている、請求項１から７のいずれか一項に記載のインクジェットプリンタ。
【発明の詳細な説明】
【技術分野】
【０００１】
本発明は、インクジェットプリンタに関する。
【背景技術】
【０００２】
従来から、インクジェット方式によって記録媒体上に所定の印刷を行うインクジェットプリンタが知られている。インクジェットプリンタは、記録媒体が載置されるプラテンを備えたベース部材と、ベース部材に設けられたキャリッジと、キャリッジに搭載されたインクヘッドと、ベース部材に取り付けられた本体ケースとを備えている。かかるインクジェットプリンタでは、インクヘッドやキャリッジ周辺に不具合が発生した場合等、定期的にインクヘッドやキャリッジ等のメンテナンスが行われている。
【発明の概要】
【発明が解決しようとする課題】
【０００３】
ところで、インクヘッドを含むキャリッジに搭載された部品に対してメンテナンスを行うとき、従来は、本体ケースの一部、例えば、キャリッジの上方に位置するケース部分を取り外す必要があった。通常、ケース部分は比較的多くのネジ等によってベース部材に取り付けられているため、これを取り外すのに比較的時間を要した。また、メンテナンスの時期ではないものの、キャリッジに搭載された部品の状態を確認したいようなときであっても、上記と同様にケース部分を取り外す必要があった。また、作業者は、インクジェットプリンタの使用に際して、ピンチローラ、メディアクランプ、カッターやマニュアル等の多くの付属品や小物（以下、付属品等とする）を取り扱うことが多く、従来のインクジェットプリンタでは、これらを適切に保管しておくスペースがなく、付属品等の管理に多大な注意力を要していた。
【０００４】
本発明はかかる点に鑑みてなされたものであり、その目的は、キャリッジへのアクセスを容易にする共に、付属品等の管理を容易にすることができるインクジェットプリンタを提供することである。
【課題を解決するための手段】
【０００５】
本発明に係るインクジェットプリンタは、記録媒体が載置されるプラテンを備えたベース部材と、前記ベース部材に設けられ、主走査方向に移動可能なキャリッジと、前記キャリッジに搭載され、前記記録媒体にインクを吐出するノズルを備えたインクヘッドと、前記ベース部材に取り付けられ、少なくとも前記キャリッジより上方に配置された上壁を備えた本体ケースと、を備え、前記上壁には、平面視で、前記キャリッジの移動軌跡と重なる貫通孔が形成され、前記貫通孔には、底壁および前記底壁の周縁から上方に延びる側壁を有し、上方に向けて開口する収納容器が着脱自在に設けられている。
【０００６】
本発明のインクジェットプリンタによると、本体ケースの上壁には貫通孔が形成され、貫通孔には収納容器が着脱自在に設けられている。ここで、貫通孔は、平面視で、キャリッジの移動軌跡と重なる位置に形成されている。このため、メンテナンス時等において、貫通孔に設けられた収納容器を取り外すことで、貫通孔を介してキャリッジに搭載されたインクヘッド等の部品の状態を確認することができると共に、かかる部品に貫通孔を介して容易にアクセスすることができる。また、貫通孔に設けられた収納容器は上方に向けて開口しているため、収納容器内に付属品等を収納することによってこれらの管理が容易となると共に、付属品等へのアクセスが容易である。
【発明の効果】
【０００７】
本発明によれば、キャリッジへのアクセスを容易にする共に、付属品等の管理を容易にすることができるインクジェットプリンタを提供することができる。
【図面の簡単な説明】
【０００８】
【図１】一実施形態に係るプリンタの斜視図である。
【図２】一実施形態に係るプリンタの正面図である。
【図３】一実施形態に係るプリンタの主要部の正面図である。
【図４】一実施形態に係るプリンタの背面図である。
【図５】一実施形態に係るプリンタの平面図である。
【図６】一実施形態に係るプリンタの底面図である。
【図７】一実施形態に係るプリンタの左側面図である。
【図８】一実施形態に係るプリンタの右側面図である。
【図９】一実施形態に係るプリンタの要部の右側面図である。
【図１０】一実施形態に係る貫通孔周辺の構造を示す斜視図である。
【図１１】一実施形態に係る貫通孔周辺の構造を示す平面図である。
【図１２】一実施形態に係る収納容器の平面図である。
【図１３】一実施形態に係る収納容器の側面図である。
【図１４】一実施形態に係る収納容器の正面図である。
【発明を実施するための形態】
【０００９】
以下、図面を参照しながら、本発明の実施形態に係るインクジェットプリンタについて説明する。なお、ここで説明される実施形態は、当然ながら特に本発明を限定することを意図したものではない。また、同じ作用を奏する部材・部位には同じ符号を付し、重複する説明は適宜省略または簡略化する。
【００１０】
図１は、本実施形態に係るインクジェットプリンタ（以下、プリンタとする）１０を示す正面図である。図１に示すように、プリンタ１０は、記録媒体１２に印刷を行う。記録媒体１２は、例えば、記録紙である。ただし、記録媒体１２は、記録紙に限定されない。例えば、記録媒体１２は、シート状のメディア、例えば、樹脂製のシートなどであってもよい。本実施形態では、記録媒体１２は、ロール状に巻かれている。
【００１１】
以下の説明では、左、右、上、下とは、プリンタ１０の正面にいる作業者から見た左、右、上、下をそれぞれ意味することとする。また、プリンタ１０から上記作業者に近づく方を前方、遠ざかる方を後方とする。図面中の符号Ｆ、Ｒｒ、Ｌ、Ｒ、Ｕ、Ｄは、それぞれ前、後、左、右、上、下を表す。後述するインクヘッドユニット２０は、左方および右方に移動可能である。記録媒体１２は、前方および後方に搬送可能である。本実施形態では、インクヘッドユニット２０の移動方向を主走査方向Ｙといい、記録媒体１２の搬送方向を副走査方向Ｘという。ここでは、主走査方向Ｙは左右方向に対応し、副走査方向Ｘは前後方向に対応する。主走査方向Ｙと副走査方向Ｘとは直交している。ただし、主走査方向Ｙおよび副走査方向Ｘは特に限定される訳ではなく、プリンタ１０の形態等に応じて適宜に設定可能である。
【００１２】
図１に示すように、プリンタ１０は、ベース部材４０と、本体ケース５０と、右脚部１６Ｒと、左脚部１６Ｌと、インクヘッドユニット２０と、カートリッジホルダー２６（図２参照）と、を備えている。ベース部材４０は、主走査方向Ｙに延びる。ベース部材４０は、プラテン１５を備えている。本体ケース５０は、ベース部材４０に取り付けられている。図２に示すように、右脚部１６Ｒおよび左脚部１６Ｌは、ベース部材４０の下部に取り付けられている。右脚部１６Ｒおよび左脚部１６Ｌは、ベース部材４０を支持する。インクヘッドユニット２０は、ベース部材４０に設けられている。インクヘッドユニット２０は、本体ケース５０の内方に配置されている。インクヘッドユニット２０は、プラテン１５より上方に配置されている。図３に示すように、インクヘッドユニット２０は、キャリッジ２２と、インクヘッド２４とを備えている。
【００１３】
図１に示すように、本体ケース５０は、左上壁５１Ｌと、右上壁５１Ｒと、第１左前壁５２Ｌと、第１右前壁５２Ｒと、第２左前壁５３Ｌと、中央壁５３Ｃと、第２右前壁５３Ｒと、左前カバー５４Ｌと、右前カバー５４Ｒと、左側壁５５Ｌ（図７参照）と、右側壁５５Ｒと、後壁５６とを備えている。
【００１４】
図１に示すように、左上壁５１Ｌおよび右上壁５１Ｒは、ベース部材４０の上方に配置されている。左上壁５１Ｌおよび右上壁５１Ｒは、キャリッジ２２より上方に配置されている。左上壁５１Ｌは、右上壁５１Ｒより左方に配置されている。左上壁５１Ｌおよび右上壁５１Ｒは、主走査方向Ｙに延びる。図５に示すように、左上壁５１Ｌの主走査方向の長さＬ１は、右上壁５１Ｒの主走査方向の長さＬ２より短い。図７に示すように、左上壁５１Ｌは、記録媒体１２の搬送方向の上流側から下流側に向けて斜め上方に傾斜している。即ち、左上壁５１Ｌは、後方から前方に行くほど上方に向けて傾いている。図８に示すように、右上壁５１Ｒは、記録媒体１２の搬送方向の上流側から下流側に向けて斜め上方に傾斜している。即ち、右上壁５１Ｒは、後方から前方に行くほど上方に向けて傾いている。本実施形態では、左上壁５１Ｌの水平方向に対する傾斜角θ１（図７参照）と、右上壁５１Ｒの水平方向に対する傾斜角θ２（図８参照）とは同じ角度である。右上壁５１Ｒには、後述する収納容器９０が着脱自在に設けられている。
【００１５】
図１に示すように、第１左前壁５２Ｌは、左上壁５１Ｌの前端から前斜め下方に延びる。第１左前壁５２Ｌは、左上壁５１Ｌの前端を中心に開閉可能な第１カバー５２ＬＡおよび第２カバー５２ＬＢとから構成されている。第１カバー５２ＬＡは、第２カバー５２ＬＢより左方に配置されている。第１カバー５２ＬＡを開くことによって、４つのカートリッジホルダー２６（図２参照）が外部に露出する。第２カバー５２ＬＢを開くことによって、４つのカートリッジホルダー２６（図２参照）が外部に露出する。第１右前壁５２Ｒは、右上壁５１Ｒの前端から前斜め下方に延びる。
【００１６】
図１に示すように、第２左前壁５３Ｌは、第１左前壁５２Ｌの前端から前斜め下方に延びる。第２左前壁５３Ｌは、第１カバー５２ＬＡの前方に位置する。中央壁５３Ｃは、第１左前壁５２Ｌの右部の前端および第１右前壁５２Ｒの左部の前端から前斜め下方に延びる。中央壁５３Ｃは、第２左前壁５３Ｌと第２右前壁５３Ｒとの間に配置されている。中央壁５３Ｃは、プラテン１５の上方に配置されている。第２右前壁５３Ｒは、第１右前壁５２Ｒの前端から前斜め下方に延びる。第２右前壁５３Ｒは、第１右前壁５２Ｒの前端を中心に開閉可能に構成されている。第２右前壁５３Ｒを開くことによって、後述する操作パネル１８が外部に露出する。中央壁５３Ｃには、中央壁５３Ｃを中心に回動可能なフロントカバー５７が設けられている。フロントカバー５７は、光を透過することが可能な材料であれば、特に限定されない。本実施形態では、フロントカバー５７は、透明なアクリル樹脂で形成されている。フロントカバー５７を通して、作業者は印刷状態等を確認することができる。フロントカバー５７には、取っ手５７Ｈが設けられている。作業者が取っ手５７Ｈを前方に引き上げることによって、フロントカバー５７が開く。
【００１７】
図１に示すように、左前カバー５４Ｌは、第２左前壁５３Ｌの前端から下方に延びる。左前カバー５４Ｌは、第２左前壁５３Ｌの前端を中心に開閉可能に構成されている。左前カバー５４Ｌは、プラテン１５より左方に配置されている。右前カバー５４Ｒは、第２右前壁５３Ｒの前端から下方に延びる。右前カバー５４Ｒは、第２右前壁５３Ｒの前端を中心に開閉可能に構成されている。右前カバー５４Ｒは、プラテン１５より右方に配置されている。
【００１８】
図７に示すように、左側壁５５Ｌは、左上壁５１Ｌの左端、第１左前壁５２Ｌの左端、第２左前壁５３Ｌの左端、左前カバー５４Ｌの左端および後壁５６の左端を接続する。図８に示すように、右側壁５５Ｒは、右上壁５１Ｒの右端、第１右前壁５２Ｒの右端、第２右前壁５３Ｒの右端、右前カバー５４Ｒの右端および後壁５６の右端を接続する。
【００１９】
図４に示すように、後壁５６は、左上後壁５６Ａと、右上後壁５６Ｂと、左下後壁５６Ｃと、右下後壁５６Ｄと、上後中央壁５６Ｅと、下後中央壁５６Ｆとを備えている。左上後壁５６Ａは、左上壁５１Ｌの後端の下方に配置されている。右上後壁５６Ｂは、右上壁５１Ｒの後端の下方に配置されている。左下後壁５６Ｃは、左上後壁５６Ａの下方に配置されている。左下後壁５６Ｃは、左前カバー５４Ｌ（図２参照）と対向する位置に配置されている（図６も参照）。右下後壁５６Ｄは、右上後壁５６Ｂの下方に配置されている。右下後壁５６Ｄは、右前カバー５４Ｒ（図２参照）と対向する位置に配置されている（図６も参照）。上後中央壁５６Ｅは、左上後壁５６Ａの右部の下端および右上後壁５６Ｂの左部の下端から下方に延びる。下後中央壁５６Ｆは、上後中央壁５６Ｅの下方に配置されている。上後中央壁５６Ｅおよび下後中央壁５６Ｆは、左下後壁５６Ｃと右下後壁５６Ｄとの間に配置されている。上後中央壁５６Ｅおよび下後中央壁５６Ｆは、プラテン１５の上方に配置されている。上後中央壁５６Ｅおよび下後中央壁５６Ｆとプラテン１５との間には、記録媒体１２が通過可能な空間が形成されている。
【００２０】
図３に示すように、プリンタ１０は、ベース部材４０に設けられたガイドレール１３を備えている。ガイドレール１３は、主走査方向Ｙに延びている。ガイドレール１３には、インクヘッドユニット２０のキャリッジ２２が係合している。キャリッジ２２は、キャリッジ移動機構８によって、ガイドレール１３に沿って主走査方向Ｙに往復移動する。キャリッジ移動機構８は、ガイドレール１３の左端側および右端側に配置されたプーリ１９ａおよびプーリ１９ｂを有している。プーリ１９ｂには、キャリッジモータ８ａが連結されている。なお、キャリッジモータ８ａはプーリ１９ａに連結されていてもよい。プーリ１９ｂは、キャリッジモータ８ａによって駆動される。プーリ１９ａおよびプーリ１９ｂには、それぞれ無端状のベルト１８が巻き掛けられている。キャリッジ２２はベルト１８に固定されている。プーリ１９ａおよびプーリ１９ｂが回転してベルト１８が走行すると、キャリッジ２２が主走査方向Ｙに移動する。このように、キャリッジ２２はガイドレール１３に沿って主走査方向Ｙに移動可能に構成されている。なお、図３では、説明の便宜上、中央壁５３Ｃおよびカートリッジホルダー２６の図示を省略している。
【００２１】
図３に示すように、プラテン１５は、ベース部材４０の中央部に設けられている。プラテン１５は、左前カバー５４Ｌと右前カバー５４Ｒとの間に配置されている。プラテン１５には、記録媒体１２が載置される。プラテン１５は、主走査方向Ｙに延びる。プラテン１５には、複数のグリットローラ１７が設けられている。グリットローラ１７は、ベース部材４０に設けられた図示しないピンチローラと対向する位置に配置されている。グリットローラ１７はフィードモータ１７ａに連結されている。グリットローラ１７はフィードモータ１７ａによって回転駆動される。記録媒体１２がグリットローラ１７とピンチローラとの間に挟まれた状態でグリットローラ１７が回転すると、記録媒体１２は副走査方向Ｘに搬送される。
【００２２】
図２に示すように、カートリッジホルダー２６は、本体ケース５０内に設けられている。カートリッジホルダー２６は、ベース部材４０の左部の上方かつ本体ケース５０の左上壁５１Ｌの下方に配置されている。より詳細には、カートリッジホルダー２６は、ベース部材４０に設けられたフレーム部材４２（図２参照）上に設けられている。フレーム部材４２は、インクヘッドユニット２０より上方に配置されている。フレーム部材４２は、主走査方向Ｙに延びる。カートリッジホルダー２６は、主走査方向Ｙに並んで配置されている。カートリッジホルダー２６は、第１カバー５２ＬＡおよび第２カバー５２ＬＢの後方に位置する。図９に示すように、カートリッジホルダー２６は、カートリッジホルダー２６の前端部２６Ａが後端部２６Ｂよりも上方に位置するように傾斜して配置されている。カートリッジホルダー２６の水平方向に対する傾斜角θ３は、右上壁５１Ｒの水平方向に対する傾斜角θ２よりも小さい。カートリッジホルダー２６は、インクカートリッジ２５（図３参照）を着脱自在に収容する。なお、本実施形態では、カートリッジホルダー２６の数は８であるが、これに限定されない。
【００２３】
インクカートリッジ２５は、インクを貯留するインクパック（図示せず）を横置きの状態で収容する。図３に示すように、インクカートリッジ２５は、後述するインク経路６０の一端６２に着脱自在に連通している。インクパックには、例えば、シアンインク、マゼンタインク、イエローインク、ライトシアンインク、ライトマゼンタインク、および、ブラックインクなどのプロセスカラーインクや、ホワイトインク、メタリックインク、および、クリアインクなどの特色インクのうち何れかのインクが貯留されている。
【００２４】
図３に示すように、プリンタ１０は、各色のインクが貯留されたインクカートリッジ２５ごとにインク供給システム３５を有している。インク供給システム３５は、インクカートリッジ２５に加えて、インクヘッド２４と、ダンパー（図示せず）と、インク経路６０と、セレクタバルブ６４と、供給ポンプ６８とを備えている。インクヘッド２４およびダンパーはキャリッジ２２に搭載され、主走査方向Ｙに往復移動する。一方、インクカートリッジ２５は、キャリッジ２２に搭載されておらず、主走査方向Ｙに往復移動しない。そのため、キャリッジ２２が主走査方向Ｙに移動してもインク経路６０が破損しないように、インク経路６０の大部分（少なくとも全長の半分以上）は、主走査方向Ｙに延びた状態で配置されている。本実施形態では、合計８本のインク経路６０が設けられている。インク経路６０は、ケーブル類保護案内装置４６で覆われている。
【００２５】
図３に示すように、インクヘッド２４は、プラテン１５より上方に配置されている。本実施形態では、８個のインクヘッド２４がキャリッジ２２に搭載されている。インクヘッド２４は、インクカートリッジ２５のインクパック（図示せず）に収容されたインクを記録媒体１２に吐出する複数のノズル２１を備えている。ダンパー（図示せず）は、インクヘッド２４に連通し、インクヘッド２４にインクを補給する役割を担う。また、ダンパーは、インクの圧力変動を緩和する役割を担う。ダンパーによって、インクヘッド２４のインク吐出動作が安定化される。
【００２６】
図３に示すように、インクカートリッジ２５とインクヘッド２４とは、インク経路６０を介して連通している。インク経路６０の一端６２は、インクカートリッジ２５に連通している。インク経路６０の他端６３は、ダンパー（図示せず）に接続している。インク経路６０の他端６３は、ダンパーを介してインクヘッド２４に連通している。インク経路６０は、インクカートリッジ２５からインクヘッド２４にインクを導く流路を形成している。インク経路６０は、柔軟性や可撓性を有し、弾性変形可能なように構成されている。インク経路６０の構成は特に限定されないが、本実施形態では樹脂製の変形容易なチューブである。ただし、チューブ以外の材料で構成されていてもよい。インク経路６０の一部がチューブによって構成されていてもよい。
【００２７】
図３に示すように、セレクタバルブ６４は、インク経路６０に配置されている。セレクタバルブ６４は、インクカートリッジ２５と供給ポンプ６８との間に設けられている。セレクタバルブ６４は、本体ケース５０内に配置されている。セレクタバルブ６４は、カートリッジホルダー２６より下方に配置されている。セレクタバルブ６４は、左前カバー５４Ｌの後方かつ左下後壁５６Ｃ（図４参照）に配置されている。セレクタバルブ６４は、インク経路６０を開放および閉鎖可能に構成されている。セレクタバルブ６４がインク経路６０を開放することで、インクカートリッジ２５に収容されたインクパックに貯留されたインクをインクヘッド２４に供給することができる。一方、セレクタバルブ６４がインク経路６０を閉鎖することで、インクカートリッジ２５に収容されたインクパックに貯留されたインクをインクヘッド２４に供給することができなくなる。
【００２８】
図３に示すように、供給ポンプ６８は、インク経路６０に配置されている。供給ポンプ６８は、セレクタバルブ６４とインクヘッド２４との間に配置されている。供給ポンプ６８は、本体ケース５０内に配置されている。供給ポンプ６８は、カートリッジホルダー２６より下方に配置されている。供給ポンプ６８は、左前カバー５４Ｌの後方かつ左下後壁５６Ｃ（図４参照）に配置されている。供給ポンプ６８は、インクカートリッジ２５からインクヘッド２４に向かってインクを供給する（送り出す）ことができる。本実施形態の供給ポンプ６８は、加圧ポンプであるが、これに限定されない。供給ポンプ６８は、例えば、チューブポンプであってもよい。
【００２９】
図１に示すように、本体ケース５０の第２右前壁５３Ｒの下方には、操作パネル１８が設けられている。操作パネル１８は、右前カバー５４Ｒよりも記録媒体１２の搬送方向の上流側に設けられている。本実施形態では、操作パネル１８は、右前カバー５４Ｒより後方に設けられている。操作パネル１８には、プリンタの状態を表示する表示部と、作業者によって操作される入力キー等が設けられている。操作パネル１８は、プリンタ１０の各種の動作を制御する制御装置３０（図３参照）に接続されている。
【００３０】
図１０に示すように、本体ケース５０の右上壁５１Ｒには、貫通孔５８が形成されている。貫通孔５８は、矩形状に形成されている。図５に示すように、貫通孔５８は、平面視で、キャリッジ２２の移動軌跡Ｈと重なる。より詳細には、貫通孔５８は、平面視で、キャリッジ２２の後端２２Ｒの移動軌跡ＨＲより前方、かつ、キャリッジ２２の前端２２Ｆの移動軌跡ＨＦより後方に形成されている。貫通孔５８は、平面視で、プラテン１５と重なる位置に形成されている。貫通孔５８は、左上壁５１Ｌの左端と右上壁５１Ｒの右端との中間位置Ｃ１より右方に形成されている。貫通孔５８は、プラテン１５の左端とプラテン１５の右端との中間位置Ｃ２よりも、操作パネル１８側に配置されている。貫通孔５８は、中間位置Ｃ２よりも右方に配置されている。貫通孔５８は、操作パネル１８より左方に配置されている。貫通孔５８は、右前カバー５４Ｒより左方に配置されている。貫通孔５８は、主走査方向Ｙに関して、右上壁５１Ｒの略中央に形成されている。貫通孔５８は、右上壁５１Ｒのうち記録媒体１２の搬送方向の上流側の第１端部５１ＲＲと右上壁５１Ｒのうち記録媒体１２の搬送方向の下流側の第２端部５１ＲＦとの中間位置Ｃ３よりも下流側に形成されている。第１端部５１ＲＲは、右上壁５１Ｒの後端に相当する。第２端部５１ＲＦは、右上壁５１Ｒの前端に相当する。図１１に示すように、貫通孔５８の下方にキャリッジ２２が位置するときには、貫通孔５８は、平面視で、インクヘッド２４の一部と重なる。即ち、作業者は、貫通孔５８を介してキャリッジ２２に搭載されているインクヘッド２４やその周辺の部品の状態を確認することができる。
【００３１】
図１に示すように、収納容器９０は、右上壁５１Ｒに形成された貫通孔５８に着脱自在に設けられている。収納容器９０は、弾性を有する樹脂材料から形成されている。本実施形態では、収納容器９０は、ＡＢＳ樹脂から形成されている。収納容器９０は上方に向けて開口している。収納容器９０は、右上壁５１Ｒに対して下方に凹む凹形状に形成されている。図１２は、収納容器９０の平面図である。図１３は、収納容器９０の右側面図である。図１４は、収納容器９０の正面図である。
【００３２】
図１２に示すように、収納容器９０は、底壁９１と、後壁９２と、前壁９３と、左壁９４と、右壁９５と、頂壁９６とを備えている。後壁９２、前壁９３、左壁９４および右壁９５は、底壁９１の周縁から上方に延びる側壁の一例である。図１３に示すように、底壁９１は、水平方向に延びる。後壁９２は、底壁９１の後端から上方に延びる。後壁９２は、第１壁の一例である。前壁９３は、後壁９２と対向する位置に配置されている。前壁９３は、底壁９１の前端から上方に延びる。前壁９３の上下方向の長さＬ１は、後壁９２の上下方向の長さＬ２よりも長い。前壁９３は、第２壁の一例である。図１２に示すように、左壁９４は、後壁９２と直交する位置に配置されている。左壁９４は、底壁９１の左端からから上方に延びる。左壁９４は、第３壁の一例である。右壁９５は、左壁９４と対向する位置に配置されている。右壁９５は、底壁９１の右端から上方に延びる。右壁９５と左壁９４とは、左右対称に形成されている。右壁９５は、第４壁の一例である。後壁９２および前壁９３の左右方向の長さＬ３は、左壁９４および右壁９５の前後方向の長さＬ４よりも長い。底壁９１、後壁９２、前壁９３、左壁９４および右壁９５によって、付属品等を収納することができる収納空間が区画される。頂壁９６は、後壁９２の上端、前壁９３の上端、左壁９４の上端および右壁９５の上端から外方に向けて延びる。図１３に示すように、頂壁９６は、後壁９２から前壁９３にむけて斜め上方に傾斜している。頂壁９６の水平方向に対する傾斜角θ４（図１３参照）は、右上壁５１Ｒの水平方向に対する傾斜角θ２（図８参照）と同じである。頂壁９６は、第５壁の一例である。
【００３３】
図１２に示すように、収納容器９０は、一対の係止爪９７（図１４も参照）と、一対の係合爪９８とを備えている。一対の係止爪９７は、左右方向に並んでいる。一対の係合爪９８は、左右方向に並んでいる。図１３に示すように、係止爪９７および係合爪９８は、頂壁９６に形成されている。係止爪９７は、頂壁９６の下面９６Ｂから前方に延びる。係止爪９７は、前壁９３より前方に位置する。係止爪９７は、収納容器９０を貫通孔５８に取り付けるとき、右上壁５１Ｒに形成された切り欠き部５１Ｘ（図１０参照）に挿入され、右上壁５１Ｒの裏面に係止する。切り欠き部５１Ｘは、貫通孔５８の一部である。
【００３４】
図１３に示すように、係合爪９８は、頂壁９６の下面９６Ｂから下方に延びる。係合爪９８は、後壁９２より後方に位置する。係合爪９８は、収納容器９０を貫通孔５８に取り付けるとき、右上壁５１Ｒに設けられた縦壁５１Ｙ（図１０参照）とスナップフィットにより係合する。このとき、縦壁５１Ｙの下端５１ＹＢ（図１０参照）に、係合爪９８の段差部９８Ａが係合する。縦壁５１Ｙは、右上壁５１Ｒのうち貫通孔５８の後縁を区画する部分５１ＲＺから下方に向けて延びる。なお、収納容器９０を貫通孔５８に取り付けるときには、まず、収納容器９０の係止爪９７を切り欠き部５１Ｘに挿入し、その後、係合爪９８を縦壁５１Ｙに係合させる。
【００３５】
図９に示すように、収納容器９０が貫通孔５８（図１参照）に取り付けられている状態において、収納容器９０の一部は、側面視で、カートリッジホルダー２６と重なる。収納容器９０が貫通孔５８に取り付けられている状態において、収納容器９０の一部は、側面視で、インクカートリッジ２５と重なる。収納容器９０の底壁９１は、カートリッジホルダー２６の底壁２６Ｃより上方に位置する。なお、収納容器９０の底壁９１は、カートリッジホルダー２６の底壁２６Ｃより下方に位置していてもよい。
【００３６】
図１に示すように、プリンタ１０は、ローディングレバー４８を備えている。ローディングレバー４８は、ベース部材４０に設けられている。ローディングレバー４８は、右前カバー５４Ｒの左方に設けられている。ローディングレバー４８は、プラテン１５から前方に向けて突出するように設けられている。ローディングレバー４８は、貫通孔５８より右方に配置されている。ローディングレバー４８は、ピンチローラに連結されている。ローディングレバー４８を操作することによって、ピンチローラをグリットローラ１７（図３参照）に対して接近および離反させることができ、記録媒体１２をピンチローラおよびグリットローラ１７によって挟むことができる。
【００３７】
図４に示すように、プリンタ１０は、ロール状に巻かれた記録媒体１２を回転可能に保持する第１ホルダー３１および第２ホルダー３２を備えている。第１ホルダー３１は、第２ホルダー３２の左方に配置されている。第１ホルダー３１および第２ホルダー３２は、プラテン１５より後方に配置されている。第１ホルダー３１および第２ホルダー３２は、本体ケース５０より下方に配置されている。第１ホルダー３１および第２ホルダー３２は、主走査方向Ｙに延びるスライドバー３３にスライド自在に設けられている。第１ホルダー３１および第２ホルダー３２は、スライドバー３３に沿って主走査方向Ｙの位置を変更することができる。スライドバー３３は、左脚部１６Ｌおよび右脚部１６Ｒに支持されている。
【００３８】
以上のように、本実施形態のプリンタ１０によれば、本体ケース５０の右上壁５１Ｒには貫通孔５８が形成され、貫通孔５８には収納容器９０が着脱自在に設けられている。ここで、貫通孔５８は、平面視で、キャリッジ２２の移動軌跡Ｈと重なる位置に形成されている。このため、メンテナンス時等において、貫通孔５８に設けられた収納容器９０を取り外すことで、貫通孔５８を介してキャリッジ２２に搭載されたインクヘッド２４等の部品の状態を確認することができると共に、かかる部品に貫通孔５８を介して容易にアクセスすることができる。また、貫通孔５８に設けられた収納容器９０は上方に向けて開口しているため、収納容器９０内に付属品等を収納することによってこれらの管理が容易となると共に、付属品等へのアクセスが容易である。
【００３９】
本実施形態のプリンタ１０によれば、右上壁５１Ｒは、記録媒体１２の搬送方向の上流側から下流側に向けて斜め上方に傾斜している。このように、右上壁５１Ｒが傾斜している場合には、右上壁５１Ｒに付属品等を置くことができない。しかしながら、右上壁５１Ｒに形成された貫通孔５８には収納容器９０が設けられているため、右上壁５１Ｒが傾斜していても収納容器９０に付属品等を収納することによって適切に管理することができる。
【００４０】
本実施形態のプリンタ１０によれば、収納容器９０は、水平方向に延びる底壁９１を備えている。収納容器９０の底壁９１が本体ケース５０の右上壁５１Ｒと同様に傾斜している場合には、収納容器９０内に収納された付属品等の取り出しが困難になり得るが、収納容器９０の底壁９１が水平であるため、付属品等の取り出しは容易である。
【００４１】
本実施形態のプリンタ１０によれば、収納容器９０は、弾性を有する樹脂材料から形成されている。収納容器９０は、頂壁９６に形成され、収納容器９０を貫通孔５８に取り付けるときに貫通孔５８の周囲の右上壁５１Ｒとスナップフィットにより係合可能な係合爪９８を備えている。このように、収納容器９０を貫通孔５８に嵌め込んで右上壁５１Ｒに取り付ける際には、ネジ等が不要であるため、部品点数が少なく、簡易な構造となる。
【００４２】
本実施形態のプリンタ１０によれば、貫通孔５８は、平面視で、プラテン１５と重なる。通常、プラテン１５の左方や右方にはインクヘッド２４をメンテナンスするクリーニング機構等が設けられており、これらの上方でメンテナンスを行うことは避けた方がよい。一方、プラテン１５の表面はより簡易な構造をしており、キャリッジ２２に搭載された部品のメンテナンスを行う際に、部品を落下させるような場合があってもプラテン１５への影響は比較的小さく、新たな問題が発生する可能性も比較的小さい。
【００４３】
本実施形態のプリンタ１０によれば、カートリッジホルダー２６は、ベース部材４０の左方側の上方に配置され、収納容器９０は、ベース部材４０の右方側の上方に配置されている。収納容器９０の一部は、側面視で、カートリッジホルダー２６と重なる。上下方向にある程度のスペースを要するカートリッジホルダー２６は、ベース部材４０の左方側の上方にのみ配置されている。このため、ベース部材４０の右方側の上方に収納容器９０を配置することで、収納容器９０の容積を確保しつつ、スペースを有効活用することができる。
【００４４】
本実施形態のプリンタ１０によれば、貫通孔５８は、右上壁５１Ｒの後端５１ＲＲと右上壁５１Ｒの前端５１ＲＦとの中間位置Ｃ３よりも前方に形成されている。これにより、作業者は、収納容器９０に収納された付属品等により容易にアクセスすることができる。
【００４５】
本実施形態のプリンタ１０によれば、貫通孔５８は、プラテン１５のうち左端部とプラテン１５の右端部との中間位置Ｃ２よりも、主走査方向Ｙに関して、操作パネル１８側に配置されている。作業者は、操作パネル１８の近傍に立って作業することが多いため、貫通孔５８を操作パネル１８側に配置することで、収納容器９０に収納された付属品等により容易にアクセスすることができる。
【００４６】
以上、本発明の好適な実施形態について説明した。しかし、上述の各実施形態は例示に過ぎず、本発明は他の種々の形態で実施することができる。
【００４７】
上述した実施形態では、右上壁５１Ｒに貫通孔５８が形成され、左上壁５１Ｌの下方にカートリッジホルダー２６が配置されていたが、これに限定されない。右上壁５１Ｒの下方にカートリッジホルダー２６が配置され、左上壁５１Ｌに貫通孔５８が形成されていてもよい。
【００４８】
上述した実施形態では、右上壁５１Ｒおよび左上壁５１Ｌは、後方から前方に行くほど上方に向けて傾いているがこれに限定されない。右上壁５１Ｒおよび左上壁５１Ｌは、水平方向に延びていてもよいし、後方から前方に行くほど下方に向けて傾いていてもよい。
【符号の説明】
【００４９】
１０  プリンタ（インクジェットプリンタ）
１５  プラテン
２２  キャリッジ
２４  インクヘッド
２６  カートリッジホルダー
４０  ベース部材
５０  本体ケース
５１Ｒ  右上壁
５８  貫通孔
９０  収納容器
９１  底壁
９８  係合爪
【図１】
2019025781.tif 000003
【図２】
2019025781.tif 000004
【図３】
2019025781.tif 000005
【図４】
2019025781.tif 000006
【図５】
2019025781.tif 000007
【図６】
2019025781.tif 000008
【図７】
2019025781.tif 000009
【図８】
2019025781.tif 000010
【図９】
2019025781.tif 000011
【図１０】
2019025781.tif 000012
【図１１】
2019025781.tif 000013
【図１２】
2019025781.tif 000014
【図１３】
2019025781.tif 000015
【図１４】
2019025781.tif 000016
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
ベース部材と、
前記ベース部材に設けられ、主走査方向に移動可能なキャリッジと、
前記キャリッジに搭載され、記録媒体にインクを吐出するノズルを備えたインクヘッドと、
前記ベース部材に取り付けられ、少なくとも前記キャリッジより上方に配置された上壁を備えた本体ケースと、を備え、
前記上壁には、平面視で、前記キャリッジの移動軌跡と重なるメンテナンス用の貫通孔が形成され、
前記貫通孔には、底壁および前記底壁の周縁から上方に延びる側壁を有し、上方に向けて開口する収納容器が着脱自在に設けられている、インクジェットプリンタ。
【請求項２】
ベース部材と、
前記ベース部材に設けられ、主走査方向に移動可能なキャリッジと、
前記キャリッジに搭載され、記録媒体にインクを吐出するノズルを備えたインクヘッドと、
前記ベース部材に取り付けられ、少なくとも前記キャリッジより上方に配置された上壁を備えた本体ケースと、を備え、
前記上壁には、平面視で、前記キャリッジの移動軌跡と重なる貫通孔が形成され、
前記貫通孔には、底壁および前記底壁の周縁から上方に延びる側壁を有し、上方に向けて開口する収納容器が着脱自在に設けられ、
前記収納容器が前記貫通孔に取り付けられたとき、前記収納容器は前記キャリッジより上方に位置する、インクジェットプリンタ。
【請求項３】
ベース部材と、
前記ベース部材に設けられ、主走査方向に移動可能なキャリッジと、
前記キャリッジに搭載され、記録媒体にインクを吐出するノズルを備えたインクヘッドと、
前記ベース部材に取り付けられ、少なくとも前記キャリッジより上方に配置された上壁を備えた本体ケースと、
前記ベース部材の前記主走査方向の一方側の上方かつ前記上壁の下方に配置され、前記インクヘッドに供給されるインクを貯留するインクカートリッジを収容するカートリッジホルダーと、を備え、
前記上壁には、平面視で、前記キャリッジの移動軌跡と重なる貫通孔が形成され、
前記貫通孔には、底壁および前記底壁の周縁から上方に延びる側壁を有し、上方に向けて開口する収納容器が着脱自在に設けられ、
前記収納容器は、前記ベース部材の前記主走査方向の他方側の上方に配置され、
前記収納容器の一部は、側面視で、前記カートリッジホルダーと重なる、インクジェットプリンタ。
【請求項４】
前記記録媒体が載置されるプラテンを備えたベース部材と、
前記ベース部材に設けられ、主走査方向に移動可能なキャリッジと、
前記キャリッジに搭載され、記録媒体にインクを吐出するノズルを備えたインクヘッドと、
前記ベース部材に取り付けられ、少なくとも前記キャリッジより上方に配置された上壁を備えた本体ケースと、を備え、
前記上壁には、平面視で、前記キャリッジの移動軌跡と重なる貫通孔が形成され、
前記貫通孔には、底壁および前記底壁の周縁から上方に延びる側壁を有し、上方に向けて開口する収納容器が着脱自在に設けられ、
前記本体ケースは、前記プラテンよりも前記主走査方向の一方側に設けられた開閉可能な第１カバーと、前記プラテンよりも前記主走査方向の他方側に設けられた開閉可能な第２カバーと、前記第２カバーよりも前記上流側に設けられた操作パネルとを備え、
前記貫通孔は、前記プラテンのうち前記主走査方向の一方側の端部と前記プラテンのうち前記主走査方向の他方側の端部との中間位置よりも、前記操作パネル側に配置されている、インクジェットプリンタ。
【請求項５】
前記記録媒体は、上流側から下流側に向けて搬送され、
前記上壁は、前記上流側から前記下流側に向けて斜め上方に傾斜している、請求項１から４のいずれか一項に記載のインクジェットプリンタ。
【請求項６】
前記記録媒体は、上流側から下流側に向けて搬送され、
前記底壁は、水平方向に延び、
前記側壁は、前記底壁のうち前記上流側の端部から上方に延びる第１壁と、前記第１壁と対向する位置に配置され、前記底壁のうち前記下流側の端部から上方に延びる第２壁と、前記第１壁と直交する位置に配置され、前記底壁のうち前記主走査方向の一方側の端部から上方に延びる第３壁と、前記第３壁と対向する位置に配置され、前記底壁のうち前記主走査方向の他方側の端部から上方に延びる第４壁と、を備え、
前記収納容器は、前記第１壁の上端、前記第２壁の上端、前記第３壁の上端および前記第４壁の上端から外方に向けて延び、前記上壁と同じ傾斜角を有する第５壁を備えている、請求項１から４のいずれか一項に記載のインクジェットプリンタ。
【請求項７】
前記収納容器は、弾性を有する樹脂材料から形成され、前記収納容器を前記貫通孔に取り付けるときに前記貫通孔の周囲の前記上壁とスナップフィットにより係合可能な係合爪を備え、
前記係合爪は、前記第５壁に形成されている、請求項６に記載のインクジェットプリンタ。
【請求項８】
前記ベース部材は、前記記録媒体が載置されるプラテンを備え、
前記貫通孔は、平面視で、前記プラテンと重なる、請求項１から３のいずれか一項に記載のインクジェットプリンタ。
【請求項９】
前記貫通孔は、平面視で、前記プラテンと重なる、請求項４に記載のインクジェットプリンタ。
【請求項１０】
前記記録媒体は、上流側から下流側に向けて搬送され、
前記貫通孔は、前記上壁のうち前記上流側の第１端部と前記上壁のうち前記下流側の第２端部との中間位置よりも前記下流側に形成されている、請求項１から９のいずれか一項に記載のインクジェットプリンタ。
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
ベース部材と、
前記ベース部材に設けられ、主走査方向に移動可能なキャリッジと、
前記キャリッジに搭載され、記録媒体にインクを吐出するノズルを備えたインクヘッドと、
前記ベース部材に取り付けられ、少なくとも前記キャリッジより上方に配置された上壁を備えた本体ケースと、を備え、
前記上壁には、平面視で、前記キャリッジの移動軌跡と重なるメンテナンス用の貫通孔が形成され、
前記貫通孔には、底壁および前記底壁の周縁から上方に延びる側壁を有し、上方に向けて開口する収納容器が着脱自在に設けられている、インクジェットプリンタ。
【請求項２】
ベース部材と、
前記ベース部材に設けられ、主走査方向に移動可能なキャリッジと、
前記キャリッジに搭載され、記録媒体にインクを吐出するノズルを備えたインクヘッドと、
前記ベース部材に取り付けられ、少なくとも前記キャリッジより上方に配置された上壁を備えた本体ケースと、を備え、
前記上壁には、平面視で、前記キャリッジの移動軌跡と重なる貫通孔が形成され、
前記貫通孔には、底壁および前記底壁の周縁から上方に延びる側壁を有し、上方に向けて開口する収納容器が着脱自在に設けられ、
前記収納容器が前記貫通孔に取り付けられたとき、前記収納容器は前記キャリッジより上方に位置する、インクジェットプリンタ。
【請求項３】
ベース部材と、
前記ベース部材に設けられ、主走査方向に移動可能なキャリッジと、
前記キャリッジに搭載され、記録媒体にインクを吐出するノズルを備えたインクヘッドと、
前記ベース部材に取り付けられ、少なくとも前記キャリッジより上方に配置された上壁を備えた本体ケースと、
前記ベース部材の前記主走査方向の一方側の上方かつ前記上壁の下方に配置され、前記インクヘッドに供給されるインクを貯留するインクカートリッジを収容するカートリッジホルダーと、を備え、
前記上壁には、平面視で、前記キャリッジの移動軌跡と重なる貫通孔が形成され、
前記貫通孔には、底壁および前記底壁の周縁から上方に延びる側壁を有し、上方に向けて開口する収納容器が着脱自在に設けられ、
前記収納容器は、前記ベース部材の前記主走査方向の他方側の上方に配置され、
前記収納容器の一部は、側面視で、前記カートリッジホルダーと重なる、インクジェットプリンタ。
【請求項４】
記録媒体が載置されるプラテンを備えたベース部材と、
前記ベース部材に設けられ、主走査方向に移動可能なキャリッジと、
前記キャリッジに搭載され、前記記録媒体にインクを吐出するノズルを備えたインクヘッドと、
前記ベース部材に取り付けられ、少なくとも前記キャリッジより上方に配置された上壁を備えた本体ケースと、を備え、
前記上壁には、平面視で、前記キャリッジの移動軌跡と重なる貫通孔が形成され、
前記貫通孔には、底壁および前記底壁の周縁から上方に延びる側壁を有し、上方に向けて開口する収納容器が着脱自在に設けられ、
前記本体ケースは、前記プラテンよりも前記主走査方向の一方側に設けられた開閉可能な第１カバーと、前記プラテンよりも前記主走査方向の他方側に設けられた開閉可能な第２カバーと、前記主走査方向から見て前記第１カバーよりも前記第２カバー側に設けられた操作パネルとを備え、
前記貫通孔は、前記プラテンのうち前記主走査方向の一方側の端部と前記プラテンのうち前記主走査方向の他方側の端部との中間位置よりも、前記操作パネル側に配置されている、インクジェットプリンタ。
【請求項５】
前記記録媒体は、上流側から下流側に向けて搬送され、
前記上壁は、前記上流側から前記下流側に向けて斜め上方に傾斜している、請求項１から４のいずれか一項に記載のインクジェットプリンタ。
【請求項６】
前記記録媒体は、上流側から下流側に向けて搬送され、
前記底壁は、水平方向に延び、
前記側壁は、前記底壁のうち前記上流側の端部から上方に延びる第１壁と、前記第１壁と対向する位置に配置され、前記底壁のうち前記下流側の端部から上方に延びる第２壁と、前記第１壁と直交する位置に配置され、前記底壁のうち前記主走査方向の一方側の端部から上方に延びる第３壁と、前記第３壁と対向する位置に配置され、前記底壁のうち前記主走査方向の他方側の端部から上方に延びる第４壁と、を備え、
前記収納容器は、前記第１壁の上端、前記第２壁の上端、前記第３壁の上端および前記第４壁の上端から外方に向けて延び、前記上壁と同じ傾斜角を有する第５壁を備えている、請求項１から４のいずれか一項に記載のインクジェットプリンタ。
【請求項７】
前記収納容器は、弾性を有する樹脂材料から形成され、前記収納容器を前記貫通孔に取り付けるときに前記貫通孔の周囲の前記上壁とスナップフィットにより係合可能な係合爪を備え、
前記係合爪は、前記第５壁に形成されている、請求項６に記載のインクジェットプリンタ。
【請求項８】
前記ベース部材は、前記記録媒体が載置されるプラテンを備え、
前記貫通孔は、平面視で、前記プラテンと重なる、請求項１から３のいずれか一項に記載のインクジェットプリンタ。
【請求項９】
前記貫通孔は、平面視で、前記プラテンと重なる、請求項４に記載のインクジェットプリンタ。
【請求項１０】
前記記録媒体は、上流側から下流側に向けて搬送され、
前記貫通孔は、前記上壁のうち前記上流側の第１端部と前記上壁のうち前記下流側の第２端部との中間位置よりも前記下流側に形成されている、請求項１から９のいずれか一項に記載のインクジェットプリンタ。